(57)【要約】【課題】個人がＣＤ等より音楽コンテンツを大容量記憶装置に移植して逐次ライブラリーを充実させる方式のミュージックサーバー装置において、ライブラリーに新しく受け入れる音楽コンテンツを加える毎に当該曲のファイル名を入力する作業は、鑑賞ムードを壊し、手間が掛かる好ましくないプロセスである。【解決手段】ミュージックサーバー装置の大容量記憶装置にタイトル、アーチスト等を記述する「よみ」を索引できるデータベースを設置しておき、新しく受け入れる音楽コンテンツはインターネットを介してＴＯＣ等を受け取って「よみ」を提供するデータベース・サービス事業者より「よみ集合」をダウンロードして当該コンテンツのファイル名を「よみ集合」中の例えばカタカナにより自動採番を行なって前述データベースに加え、ディスプレイ装置には「よみ集合」を構成するカタカナ、ひらがな、ローマ字、漢字混じ文字等複数の「よみ」のうちから可能で好適なものを表示する。【選択図】    図１
2004206648.tif 000002
【特許請求の範囲】
【請求項１】
商用コンテンツを収めたＣＤ、ＤＶＤ等を識別するタイトル、アーチスト等の識別情報を「よみ」と呼称し、
ユーザーのコンピュータ或いはＡＶ機器が内蔵するコンピュータがインターネットを介して当該コンピュータが処理対象とするＣＤ、ＤＶＤ等の商用コンテンツのデータを他のコンピュータが内容を読める状態で呈示して「よみ」を問い合わせてきた場合に、
自社のコンピュータからインターネットを介して当該ユーザーの前述コンピュータにアクセスして前述商用コンテンツのデータの中からそのコンテンツを技術的に識別可能とする特定データを拾い出し、
自社の有する前述特定データのデータベースを検索して前述商用コンテンツを特定してそれとリンクする「よみ」データベースから表音文字列による「よみ」の記述と表意文字列による「よみ」の記述を併せ持っている「よみ集合」を当該ユーザーのコンピュータにインターネットを介して送信し、
前述「よみ集合」を受け取った前述ユーザーのコンピュータは前述「よみ集合」中の表音文字「よみ」によりその後の検索・分類を行い、
ディスプレイ装置への表示は「よみ集合」を構成する複数の「よみ」の中から好適なものを選べるようにしてなるデータベース・サービス事業者のシステム。
【請求項２】
前述「よみ集合」の表音文字による「よみ」の記述がカタカナ、ひらがな、ローマ字の全て、または一部を含み、表意文字による「よみ」の記述がカタカナ、ひらがな、ローマ字、英語等を含む漢字混じり文字列である日本語対応の請求項１に記載のデータベース・サービス事業者のシステム。
【請求項３】
前述「よみ集合」の表音文字による「よみ」の記述がハングルであり、表意文字による「よみ」の記述がハングルと英語を含む漢字混じり文字列である韓国語対応の請求項１に記載のデータベース・サービス事業者のシステム。
【請求項４】
多数の言語による「よみ」を並列的に「よみ集合」として収容する請求項１に記載のデータベース・サービス事業者のシステム。
【請求項５】
請求項１に記載されたデータベース・サービス事業者が有する特定データのデータベースと「よみ」データベースの一部または全部を移植した大容量記憶装置を有し、
自己が処理対象とするＣＤ、ＤＶＤ等の商用コンテンツのデータを検索してそのコンテンツを技術的に識別可能とする特定データを拾い出し、
前述特定データのデータベースを検索して前述商用コンテンツを特定して前述「よみ」データベースより該当する「よみ」を抽出して前述処理対象とする商用コンテンツと当該「よみ」をリンクして大容量記憶装置内のコンテンツ・ライブラリーに収納し、
前述「よみ」データベースに含まれる前述「よみ集合」中の表音文字「よみ」によりその後の検索・分類を行い、
ディスプレイ装置への表示は「よみ集合」を構成する複数の「よみ」の中から好適なものを選べるようにしてなるユーザーのコンピュータ或いはＡＶ機器が内蔵するコンピュータ。
【発明の詳細な説明】
【０００１】
【発明の属する技術分野】
本発明は、コンピュータで読み出せる形で保管されたユーザーのコンテンツに含まれた識別キーを取り出し、自社が管理するデータベースを検索し、タイトル、アーチスト等から構成される「よみ」を出力してユーザーに通知するサービスを行うデータベース・サービス事業者のシステム及びデータベースの構造に関する。
【０００２】
【従来の技術】
物理的媒体であるＣＤやＤＶＤの本体には印刷されて、その収納ケースには印刷物の形でコンテンツのタイトルやアーチスト等に関する情報が表示されている。
従ってＣＤやＤＶＤを直接再生装置に掛けて再生させる場合はユーザーはコンテンツのタイトルやアーチスト等が何であるかを確実に知っている。
【０００３】
しかしながら、このコンテンツをコンピュータのＨＤＤや半導体メモリ等の大容量記憶装置に収納してコンテンツ・ライブラリーを構成した場合、デジタル化したこれらコンテンツ自体には明示的に「よみ」情報を含んでいないものが多いため、「よみ」の全部または一部を検索コードとして検索・分類すること、及び再生中にディスプレイ装置等に「よみ」を表示することが原理的に不可能である。
【０００４】
この問題解決のため、ＣＤ及びＤＶＤに光ピックアップのトラック・コントロールのために曲数、各曲と各インターバルの時間情報を記録してあるＴＯＣ（テーブル・オブ・コンテンツ）を識別キーとして利用し、ＴＯＣ毎に「よみ」を対応させたデータベースを作成・整備し、ユーザーからインターネットを介して照会ある時は当該ユーザーのコンテンツを収納したコンピュータにアクセスして当該ＴＯＣを読み出し、それに対応する「よみ」を当該ユーザーに通知するデータベース・サービス・システムが提案され、実用化されている（例えば、特許文献１参照。）。
【０００５】
【特許文献１】
米国特許６，０６１，６８０（要約、請求項）
【０００６】
【発明が解決しようとする課題】
前述システムは英語圏で発明・実用化されたものであり、表音文字であるアルファベットで全てが表現できる英語をベースに開発されている。「よみ」であるタイトルやアーチスト等を受け取ったユーザーは、自分の前述コンテンツ・ライブラリーのディレクトリーにこの「よみ」と対応するコンテンツをリンクさせて収納しておく。ユーザーが特定のタイトルやアーチスト等をコンピュータに音声等で入力すると、前述ディレクトリーからマッチング手法によりユーザーの希望するコンテンツを容易に探し出すことができる。
【０００７】
しかし、このシステムを日本で実用化する際には問題が生じる。カタカナ、及びひらがなは表音文字であるから表音文字である英語をベースにしたシステムをフォントだけ拡張してそのまま使用しても基本的に問題は生じない。しかし、表意文字である漢字を用いる場合は同じ漢字の文字列に対して複数の読み方があるための問題が発生する。具体例を挙げれば、「角田」と書いて少なくとも６種類の発音が存在する。漢字からカタカナに変換する場合に、６種類の変換が可能であり、その何れが正しいか判断できる手掛かりが存在しない。このような場合、漢字を検索キーにしてコンピュータのディレクトリーを構成すると、コンピュータによる検索・分類が非常に困難になる。
【０００８】
また、別種の問題がある。日本に流通しているＡＶ機器にはそのディスプレイ装置にカタカナやひらがなのみ表示できるもの、アルフファベットしか表示できないもの、漢字を含めて全てのフォントを表示できるもの、と多数のレベルの装置が併行して存在している。アルファベット以外に使用しない英語圏とは全く事情が異なっている。
【０００９】
さらに、このシステムをグローバルに展開する場合に遭遇する問題がある。経済成長著しい中国等では表意文字である漢字を使用している。中国の場合、国土が広大で、地域により同一漢字文字列でも発音が異なり、さらに用語そのものにも若干の違いがある。中国政府は政策的に北京語を普通話（標準語）として統一すべく強力に推進しているが、実態は地域別に別々の言語であると考えて対応した方が音声入力による検索・分類の精度を上げるためには現実的であろう。
【００１０】
【課題を解決するための手段】
この発明においては、一つのコンテンツに対してアルファベット、ローマ字、カタカナ、ひらがな、漢字混じり文と複数の「よみ」を「よみ集合」としてデータベースに収納し、そのデータ構造を予め関係者に開示する。
【００１１】
そして、ユーザー側のコンテンツ・ライブラリーを保有するコンピュータは、前述開示されたデータベースのデータ構造を基に検索・分類は「よみ」中の表音文字（日本語の場合はカタカナ）で行い、ディスプレイ装置での表示は当該機器が取り扱える「よみ集合」中のより高度な文字列（可能なら漢字混じり文字列）を表示する。
【００１２】
また、この発明においては、適応範囲を日本語に限定せず、世界各国の言語に対応できるように「よみ」のカバー範囲を拡大できる。
【００１３】
韓国のハングルは日本語のカタカナに相当しており、表音文字であるから前述の理由で何らの問題はない。しかし、韓国でもハングルばかりで書くよりも漢字混じりで記述された文の方が識字性が良いとの意見が多く、最近では漢字混じり文がかなり多く見られるようになった。この場合は事情は日本語と同じになる。
【００１４】
全て表意文字である漢字で構成されている中国語も、実質は各文字は特定の発音とイントネーションである四声（地域によっては九声）を有しており、表音文字の一種として取り扱うことができる。依然として存在する地域別の発音の違いや用語の違いを販売戦略上重視する場合は、これらを別の言語とみなしてデータベースを構成する必要がある。
【００１５】
【発明の実施の形態】
図１はこの発明の実施例のシステム図、図２は前述「よみ集合」データベースの構造を示すものである。
【００１６】
図１によりシステムの機能を説明する。ユーザーＡの再生装置１のコンピュータ２は大容量記憶装置としてＨＤＤ３と漢字混じり文を表示できるディスプレイ装置４とインターネット・アクセス手段５を有する。ユーザーＢの再生装置６のコンピュータ７は大容量記憶装置として半導体メモリ８とカタカナしか表示できないディスプレイ装置９とインターネット・アクセス手段１０を有する。これらの再生装置はインターネット１１とアクセス回線１２を介してデータベース・サービス事業者のサイト１３にアクセスできる。
【００１７】
サーバー１４はコンテンツが含む識別キーである特定データを取得すると、多数のコンテンツの前述特定データを収納するコンテンツ識別データベース１５と、コンテンツが特定されればそのコンテンツの「よみ」を引き出すことができる「よみ集合」データベース１６を有する。
ここにいう特定データとは、媒体がＣＤの場合は既に説明したＴＯＣであり、媒体によってはコンテンツの波形分析データであり、或いはコンテンツに埋め込まれたウォーターマーク（暗証データ）であり、要するにコンテンツを正確・容易に特定・識別できる特徴ある何らかの構造を持ったデータのことである。
【００１８】
本発明になる「よみ集合」データベース１６の構造の具体例を図２に示す。「よみ集合」データベース１６の表２０は特定されたコンテンツの識別番号２１、英語の「よみ」２２を持つ。現在、米国のグレースノート社が運営するＣＤＤＢシステムでは、表２０はＴＵＩＤと呼ばれ、この識別番号２１を利用して他の事業者が静止画や動画や音楽評論或いは各種エピソード等のメタ・コンテンツを提供する事業形態が成立しており、ＣＤＤＢシステムは一種の社会インフラとして機能している。
【００１９】
本発明になるシステムではこの表２０はさらに日本語の「よみ集合」２３、カタカナの「よみ」２４、ひらがなの「よみ」２５、ローマ字の「よみ」２６、漢字混じり文の「よみ」２７、言語Ａの「よみ」２８、言語Ｚの「よみ」２９等を収容する。言語Ａと言語Ｚ間には多数のその他の言語を含むことができる。
【００２０】
いま、ユーザーＡの再生機器１からインターネット１１を介してコンテンツの「よみ」をサイト１３に照会してきたとしよう。サーバー１４はインターネット１１を介してコンピュータ２にアクセスし、ＨＤＤ３に収納した当該コンテンツの特定データを取得し、この特定データによりコンテンツ識別データベース１５を検索し、コンテンツを特定して該当する識別番号２１を与える。
【００２１】
サーバー１４は識別番号２１により「よみ集合」データベース１６を検索して、例えば日本語の「よみ集合」２３を取り出し、アクセス回線１２、インターネット１１、インターネット・アクセス手段５を経由してユーザーＡの再生機器１のコンピュータ２にアクセスし、当該日本語の「よみ集合」２３のデータをダウンロードする。コンピュータ２はソフトウェアの制御によりＨＤＤ３の当該コンテンツと当該日本語の「よみ集合」の内、例えば表音文字列であるカタカナの「よみ」２４と、表意文字列である漢字混じり文の「よみ」２７をリンクしてＨＤＤ３に収納する。ディスプレイ装置に表示されるのは識字性が勝る漢字混じり文の「よみ」２７であり、コンピュータ２が検索・分類に使用するのは語順が明瞭なカタカナの「よみ」２４である。
【００２２】
いま、ユーザーＢの再生機器６からインターネット・アクセス手段１０、インターネット１１、アクセス回線１２を経由してコンテンツの「よみ」をサイト１３に照会してきたとしよう。この場合もサイト１３のサーバー１４がアクセス回線１２、インターネット１１、インターネット・アクセス手段１０を経由してコンピュータ７へダウンロードするのは日本語の「よみ集合」２３である。この再生機器６はカタカナに対応しているとすると、コンピュータ７は受け取った日本語の「よみ集合」２３の内、カタカナの「よみ」２４だけを選んで半導体メモリ８に収納された当該コンテンツとリンクさせて保管し、ディスプレイ装置にはカタカナの「よみ」が表示される。
【００２３】
韓国語においてハングルの「よみ」のみを用いる場合は英語の場合と同じである。漢字混じり文の「よみ」を用いる場合は本発明になる表音文字であるハングルの「よみ」と、表意文字である漢字混じり文の「よみ」を併行して持ち、前者を検索・分類用に、後者を表示用に用いる「よみ集合」のデータベース構造を必要とする。
【００２４】
なお、英語圏のコンテンツはこれまでも全世界に受け入れられ愛好されてきたが、最近は日本語によるコンテンツも韓国、中国、その他の地区に受け入れられるようになりつつある。同一コンテンツに対して図２の言語Ａから言語Ｚに相当する「よみ」を一組の集合として構成し、提供することが新しいビジネスチャンスとなり得る状況が生じつつある。
【００２５】
【発明の効果】
この発明は以上のように構成されているので、表音文字と表意文字が併行して使用される日本語の場合に、コンピュータ内部の検索・分類等の論理操作は表音文字を用い、ディスプレイ装置には識字性が良い表意文字を用いるデータベース・サービスを提供することができる。
【００２６】
また、ユーザー側の再生機器はデータベース・サービス・サイトからダウンロードした「よみ集合」の中から、ソウトウェアの制御により自己のディスプレイ装置が表示し得る「よみ」を選択して取り込みが可能で、この「よみ」システムが適用できる機器の範囲を拡大展開することができる。
【図面の簡単な説明】
【図１】本発明による請求項１に相当するシステム図である。
【図２】本発明による実施の形態における「よみ集合」等のデータ構造を説明する図である。
【符号の説明】
１    ユーザー１の再生機器
２    コンピュータ
３    ＨＤＤ
４    ディスプレイ装置
５    インターネット・アクセス手段
６    ユーザー２の再生装置
７    コンピュータ
８    半導体メモリ
９    ディスプレイ装置
１０    インターネット・アクセス手段
１１    インターネット
１２    アクセス回線
１３    データベース・サービス事業者のサイト
１４    サーバー
１５    コンテンツ識別データベース
１６    「よみ集合」データベース
２０    表
２１    識別番号
２２    英語の「よみ」
２３    日本語の「よみ集合」
２４    カタカナの「よみ」
２５    ひらがなの「よみ」
２６    ローマ字の「よみ」
２７    漢字混じり文の「よみ」
２８    言語Ａの「よみ」
２９    言語Ｚの「よみ」
【図１】
2004206648.tif 000003
【図２】
2004206648.tif 000004